(57)【要約】【課題】保持されたことが検知された場合に、所定の出力処理を行うこと。【解決手段】端末装置は、保持されたことを検知する手段と、検知する手段により当該端末装置が保持されたことが検知されたか否かに基づいて決定される条件を満たすことを判断する手段と、判断する手段により前記条件を満たすと判断された場合に、所定の出力処理を行う手段とを有する。【選択図】図１
2010004296.tif 000002
【特許請求の範囲】
【請求項１】
保持されたことを検知する手段と、
前記検知する手段により当該端末装置が保持されたことが検知されたか否かに基づいて決定される条件を満たすことを判断する手段と、
前記判断する手段により前記条件を満たすと判断された場合に、所定の出力処理を行う手段と
を有する端末装置。
【請求項２】
請求項１に記載の端末装置において、
前記検知する手段は、加速度センサ、角速度センサ、力センサ及び静電センサのうち、少なくとも１つを含む端末装置。
【請求項３】
請求項１又は２に記載の端末装置において、
前記判断する手段は、前記検知する手段により当該端末装置が保持されたことが検知された場合に、前回の保持された時間から所定の時間経過している場合に、前記条件を満たすと判断する端末装置。
【請求項４】
請求項１ないし３のいずれか１項に記載の端末装置において、
前記所定の出力処理を行う手段は、該所定の出力を音声又は表示により行う端末装置。
【請求項５】
請求項４に記載の端末装置において、
前記所定の出力処理を行う手段は、時刻、天気予報及びメールが受信されていることのうち、少なくとも１つの出力を行う端末装置。
【請求項６】
端末装置が、保持されたことを検知するステップと、
前記端末装置が、前記検知するステップにより当該端末装置が保持されたことが検知されたか否かに基づいて決定される条件を満たすことを判断するステップと、
前記端末装置が、前記判断するステップにより前記条件を満たすと判断された場合に、所定の出力処理を行うステップと
を有する方法。
【発明の詳細な説明】
【技術分野】
【０００１】
本発明は、特定の処理を実行する端末装置及び方法に関する。
【背景技術】
【０００２】
端末装置、例えば、携帯端末においては、特定のボタンを押したり、折り畳み型の筐体を開いたりすることで、時刻を確認することができる。
【０００３】
例えば、就寝中など、暗闇の中で時刻情報を知りたい場合には、携帯端末の操作ボタンを押すことにより、該携帯端末の表示画面に時刻が表示される。また、該携帯端末が折畳み型である場合には、該携帯端末を開くことにより、該携帯端末の表示画面に時刻が表示される。
【非特許文献１】［online］[平成２０年４月３０日検索]、インターネット<URL:  http://www.nttdocomo.co.jp/support/trouble/mamual/download/904i/f904i/index.html>、３２ページ
【発明の開示】
【発明が解決しようとする課題】
【０００４】
しかし、暗闇では、押下すべき操作ボタンを探すのが難しい。また、携帯端末のメインディスプレイの表示は、暗闇になれた目には眩しすぎる場合がある。
【０００５】
そこで、本端末装置及び方法は上述した問題点の少なくとも１つを解決するためになされたものであり、当該端末装置が保持されたことが検知された場合に、所定の出力処理を行うことができる端末装置及び方法を提供することにある。
【課題を解決するための手段】
【０００６】
上記課題を解決するため、本端末装置は、
保持されたことを検知する手段と、
前記検知する手段により当該端末装置が保持されたことが検知されたか否かに基づいて決定される条件を満たすことを判断する手段と、
前記判断する手段により前記条件を満たすと判断された場合に、所定の出力処理を行う手段と
を有する。
【０００７】
本方法は、
端末装置が、保持されたことを検知するステップと、
前記端末装置が、前記検知するステップにより当該端末装置が保持されたことが検知されたか否かに基づいて決定される条件を満たすことを判断するステップと、
前記端末装置が、前記判断するステップにより前記条件を満たすと判断された場合に、所定の出力処理を行うステップと
を有する。
【発明の効果】
【０００８】
開示の端末装置及び方法によれば、当該端末装置が保持されたことが検知された場合に、所定の出力処理を行うことができる。
【発明を実施するための最良の形態】
【０００９】
次に、本発明を実施するための最良の形態を、以下の実施例に基づき図面を参照しつつ説明する。
【００１０】
なお、実施例を説明するための全図において、同一機能を有するものは同一符号を用い、繰り返しの説明は省略する。
【００１１】
本実施例に係る端末装置１００について説明する。本実施例に係る端末装置１００には、携帯端末が含まれる。また、本実施例に係る端末装置１００には、携帯情報端末(PDA:  Personal  Digital  Assistants)が含まれてもよい。
【００１２】
本実施例に係る端末装置１００は、当該端末装置１００が保持されたことを検知する手段を有する。該検知する手段は、当該端末装置１００に対して何らかの接触が行われたことを感知する。例えば、該検知する手段は、ユーザが当該端末装置１００をつかんだことを検知するようにしてもよい。また、例えば、該検知する手段は、直接当該端末装置１００をつかんだことを検知する場合のほか、直接的及び／又は間接的に当該端末装置１００に（物理的に）接触したことを検知するようにしてもよい。例えば、該検知する手段は、当該端末装置１００に対して、押されたこと及び／又は叩かれたことを検知するようにしてもよい。
【００１３】
例えば、端末装置１００は、検知する手段として、加速度センサ、角速度センサ（ジャイロ）、力センサ及び静電センサのうち、少なくとも１つを有するようにしてもよい。また、物理的に接触したことを検知できるものであれば、上述したセンサ以外のものを有するようにしてもよい。以下の実施例では、該検知する手段の一例として、加速度センサを有する場合について説明する。この場合、端末装置１００は、加速度センサからの出力を定期的に読み取る。端末装置１００は、読み取った加速度に一定以上の変化があった場合、ユーザが当該端末装置１００をつかんでいると判断する。
【００１４】
本実施例に係る端末装置１００は、処理を行うことを判断する手段を有する。該処理を行うことを判断する手段は、該検知する手段が、当該端末装置１００が保持されたことを検知した場合に、予め決定された条件を満たすか否かを判断する。例えば、該条件として、該検知する手段において、所定の時間、当該端末装置１００がつかまれたことが検知されなかったこととしてもよい。例えば、処理を行うことを判断する手段は、該検知する手段が、当該端末装置１００が保持されたことを検知した場合に、前回の検知された時刻から所定の時間、例えば１時間程度、つかまれたことが検知されていない場合に、条件を満たすと判断してもよい。
【００１５】
また、処理を行うことを判断する手段は、当該端末装置１００が音声出力できない動作モードでない場合に、条件を満たすと判断してもよい。例えば、処理を行うことを判断する手段は、当該端末装置１００が着信時に、着信音を鳴らす代わりにバイブレータを振動させるマナーモードで無い場合に、条件を満たすと判断してもよい。
【００１６】
また、処理を行うことを判断する手段は、現在の時刻が予め設定された時間の範囲に含まれる場合に、条件を満たすと判断してもよい。例えば、処理を行うことを判断する手段は、現在の時刻が、０時から６時である場合に、条件を満たすと判断してもよい。この時間の範囲は、音声出力を行ってもよい時間として予め設定されてもよい。
【００１７】
本実施例に係る端末装置１００は、処理を実施する手段を有する。該処理を実施する手段は、該処理を行うことを判断する手段が処理を行うと判断した場合に処理を実施する。例えば、該処理を実施する手段は、時刻を音声出力する場合には、音声を合成する手段と、該合成された音声を出力するスピーカとを有するようにしてもよい。
【００１８】
本実施例では、実施する処理の例として、現在時刻、メール受信状況、天気予報などの情報を音声出力及び／又は表示する場合について説明する。例えば、端末装置１００は、音声合成を行い、スピーカから該合成された音声を出力する。また、例えば、端末装置１００は、ディスプレイに表示する。該ディスプレイにはメインのディスプレイとサブのディスプレイがあるが、どちらであってもよい。以下の実施例では、一例としてサブディスプレイに表示される場合について説明する。また、現在時刻、メール受信状況、天気予報などの情報以外にも、スケジュール、ニュースのヘッドラインを音声出力及び／又は表示するようにしてもよい。
（第１の実施例）
本実施例に係る端末装置１００について、図１を参照して説明する。
【００１９】
本実施例に係る端末装置１００は、現在の時刻を音声で出力する。
【００２０】
本実施例に係る端末装置１００は、加速度センサ１０２を有する。加速度センサ１０２は、当該端末装置１００に対する接触動作を検知する。例えば、ユーザが当該端末装置１００に対して何らかの接触を行ったことを検知する。加速度センサ１０２は、例えば、当該端末装置１００に生じた加速度を検知する。加速度センサ１０２は、加速度を後述する加速度センサ読み取り部１０６に入力する。
【００２１】
本実施例に係る端末装置１００は、タイマ１０４を有する。タイマ１０４は、タイマ値を加速度センサ読み取り部１０６に入力する。
【００２２】
本実施例に係る端末装置１００は、加速度センサ読み取り部１０６を有する。加速度センサ読み取り部１０６は、タイマ１０４により入力されたタイマ値に基づいて、加速度センサ１０２の値を定期的に読み取る。加速度センサ読み取り部１０６は、加速度センサ１０２の値を加速度センサ値保持部１０８及び加速度センサ値判定部１１０に入力する。
【００２３】
本実施例に係る端末装置１００は、加速度センサ値保持部１０８を有する。加速度センサ値保持部１０８は、入力された加速度センサの値を保持する。加速度センサ値保持部１０８は、保持している加速度センサの値を加速度センサ値判定部１１０に入力する。
【００２４】
本実施例に係る端末装置１００は、加速度センサ値判定部１１０を有する。加速度センサ値判定部１１０は、加速度センサ読み取り部１０６及び加速度センサ値保持部１０８により入力された加速度センサの値に基づいて、当該端末装置１００がユーザによりつかまれている（保持されている）かを判定する。加速度センサ値判定部１１０は、例えば、加速度センサ読み取り部１０６により入力された加速度が、加速度センサ値保持部１０８により入力された加速度と異なる場合に、当該端末装置１００がユーザによりつかまれていると判定するようにしてもよい。ここで、加速度センサ値保持部１０８により入力されたセンサ値は、加速度センサ読み取り部１０６により入力されたセンサ値よりも前に読み取られたセンサ値である。該前に読み取られたセンサ値は、当該端末装置１００が保持されていない場合の加速度の値であるのが好ましい。
【００２５】
また、加速度センサ値判定部１１０は、加速度センサ読み取り部１０６により入力されたセンサ値が、所定の閾値以上である場合に、当該端末装置１００が保持されていると判断するようにしてもよい。この場合、所定の閾値とは、端末装置１００がユーザによりつかまれている場合に生じる加速度の最低値であってもよい。
【００２６】
また、端末装置１００がユーザによりつかまれている場合のように手で保持されている場合に限らず、当該端末装置１００に対して、押したり、叩いたりする場合を判定するようにしてもよい。加速度センサ値判定部１１０は、当該端末装置１００がユーザにより保持されていると判定した場合、保持されていることを示す情報を後述する非保持開始時刻設定部１１４及び非保持時間判定部１１６に入力する。
【００２７】
本実施例に係る端末装置１００は、リアルタイムクロック１１２を有する。リアルタイムクロック１１２は、クロックの値を後述する非保持開始時刻設定部１１４及び非保持時間判定部１１６に入力する。該クロック値は、現在の時刻を示す値であってもよい。
【００２８】
本実施例に係る端末装置１００は、非保持開始時刻設定部１１４を有する。非保持開始時刻設定部１１４は、加速度センサ値判定部１１０により入力された当該端末装置１００が保持されている情報及びリアルタイムクロック１１２により入力されたクロックの値に基づいて、当該端末装置１００がユーザにより保持されていない場合に、該保持されていない時刻の開始時刻を設定する。非保持開始時刻設定部１１４は、該保持されていない時刻の開始時刻を非保持時間判定部１１６に入力する。
【００２９】
本実施例に係る端末装置１００は、非保持時間判定部１１６を有する。非保持時間判定部１１６は、非保持開始時刻設定部１１４により入力された保持されていない時刻の開始時刻と、加速度センサ値判定部１１０により入力された保持されていることを示す情報と、リアルタイムクロック１１２により入力されたクロック値に基づいて、保持されていない時間の経過時間を求める。そして、非保持時間判定部１１６は、該保持されていない時間の経過時間に基づいて、該経過時間が所定の時間以上である場合には、後述する音声出力部１１８に現在の時刻を出力するように命令する。該所定の時間は、予め設定されるようにしてもよい。
【００３０】
本実施例に係る端末装置１００のハードウエア構成例について、図２を参照して説明する。
【００３１】
本実施例に係る端末装置１００は、ＣＰＵ１５２と、ＲＯＭ１５４と、ＲＡＭ１５６と、アンプ１５８と、スピーカ１６０とを有する。また、本実施例に係る端末装置１００は、上述したように加速度センサ１０２を有する。また、本実施例に係る端末装置１００は、上述したようにリアルタイムクロック１１２を有する。
【００３２】
ＣＰＵ１５２を端末装置１００として機能させるためのプログラムは、製造段階にて、ＲＯＭ１５４に書き込まれている。そして、ＣＰＵ１５２は、このプログラムに従って本実施例で説明するような処理を実行する。又は、プログラムは、例えば、フレキシブルディスク、ＣＤ−ＲＯＭ、メモリカード等の記録媒体に記録された状態で提供されてもよい。この記録媒体を端末装置１００と接続された補助記憶装置に挿入することにより、媒体に記録されたプログラムが読み取られ、ＲＯＭ１５４に書き込まれ、実行されてもよい。この場合、ＲＯＭ１５４は、書き換え可能なフラッシュメモリで構成すればよい。また、プログラムを、通信網を介してダウンロードし、書き換え可能なフラッシュメモリで構成されたＲＯＭ１５４に書き込み、実行してもよい。記録媒体から読み取られ、もしくはダウンロードされたプログラムを、ハードディスク装置にコピー・インストールし実行するようにしてもよい。
【００３３】
本実施例に係る端末装置１００の動作について、図３を参照して説明する。
【００３４】
端末装置１００は、加速度センサ値を読み取る（ステップＳ３０２）。例えば、加速度センサ読み取り部１０６は、加速度センサ１０２により入力されたセンサ値を読み取る。加速度センサ読み取り部１０６は、読み取った加速度センサ値を加速度センサ値保持部１０８及び加速度センサ値判定部１１０に入力する。加速度センサ値保持部１０８は、入力された加速度センサ値をA0として記憶する。加速度センサ値判定部１１０は、入力された加速度センサ値に基づいて、当該端末装置１００が保持されているかを判定する。加速度センサ値判定部１１０は、当該端末装置１００が保持されているかの判定結果を非保持開始時刻設定部１１４及び非保持時間判定部１１６に入力する。
【００３５】
端末装置１００は、当該端末装置１００が保持されていない状態の開始時刻を設定する（ステップＳ３０４）。例えば、非保持開始時刻設定部１１４は、加速度センサ値判定部１１０により入力された当該端末装置１００が保持されているかの判定結果に基づいて、当該端末装置１００が保持されている状態から保持されていない状態となった場合に、該保持されていない判定結果が入力された時刻を設定する。非保持開始時刻設定部１１４は、該保持されていない判定結果が入力された時刻と、当該端末装置１００が保持されていない状態の開始時刻をT0として記憶する。
【００３６】
端末装置１００は、所定の時間が経過したかを判断する（ステップＳ３０６）。例えば、加速度センサ読み取り部１０６は、タイマ１０４により入力されたタイマ値に基づいて、前回の加速度センサ値の読み取り時刻から所定の時刻が経過したかを判断する。本実施例では、一例として所定の時間が１００ｍｓである場合について説明する。この所定の時間は適宜変更可能である。
【００３７】
所定の時間が経過していない場合（ステップＳ３０６：ＮＯ）、ステップＳ３０６に戻る。所定の時間が経過している場合（ステップＳ３０６：ＹＥＳ）、端末装置１００は、加速度センサ値を読み取る（ステップＳ３０８）。例えば、加速度センサ読み取り部１０６は、加速度センサ１０２により入力されたセンサ値を読み取る。加速度センサ読み取り部１０６は、読み取った加速度センサ値を加速度センサ値保持部１０８及び加速度センサ値判定部１１０に入力する。加速度センサ値保持部１０８は、入力された加速度センサ値をA1として記憶する。
【００３８】
加速度センサ値判定部１１０は、入力された加速度センサ値A1に基づいて、当該端末装置１００が保持されているかを判定する。例えば、加速度センサ値判定部１１０は、加速度センサ値A1がステップＳ３０２において読み取られた加速度センサ値A0と異なるかを判断する（ステップS３１０）。
【００３９】
加速度センサ値A1と加速度センサ値A0とが異ならない場合（ステップS３１０：ＮＯ）、ステップＳ３０６に戻る。加速度センサ値A1と加速度センサ値A0とが異なる場合（ステップＳ３１０：ＹＥＳ）、端末装置１００は、リアルタイムクロックの値が所定の時間を超える値となったかを判断する（ステップＳ３１２）。例えば、加速度センサ値判定部１１０は、加速度センサ値A1と加速度センサ値A0とが異なるか否かの判定結果を、非保持時間判定部１１６に入力する。非保持時間判定部１１６は、加速度センサ値判定部１１０により入力された判定結果に基づいて、該判定結果が加速度センサ値A1と加速度センサ値A0とが異なることを示す場合、リアルタイムクロック１１２により入力されたクロック値に基づいて、非保持開始時刻設定部１１４により入力された非保持開始時刻から所定の時間を超えるかを判断する。
【００４０】
非保持開始時刻から所定の時間を超えない場合（ステップＳ３１２：ＮＯ）、ステップＳ３０２に戻る。この場合、端末装置１００は、一時的に静止状態に置かれたものと判断される。非保持開始時刻から所定の時間を超える場合（ステップＳ３１２：ＹＥＳ）、端末装置１００は、スピーカから現在の時刻を音声出力する（ステップＳ３１４）例えば、非保持時間判定部１１６は、非保持開始時刻から所定の時間を超えている場合、音声出力部１１８に音声出力を行うように命令する。この命令には、リアルタイムクロック１１２により入力された現在時刻を示す情報が含まれてもよい。音声出力部１１８は、非保持時間判定部１１６により入力された命令に応じて、現在時刻の音声による出力を行う。
【００４１】
静止状態では、加速度センサ１０２の読み取り値は、鉛直方向に1Gを示す。一定時間静止状態に置かれたことは、鉛直方向の1Gが継続していることを検出すればよい。但し、端末装置１００はさまざまな置き方で静止状態になる可能性がある。そのため、加速度センサ読み取り部１０６は、加速度センサ１０２の複数の軸の値を読み取り、そのベクトルが一定であれば、静止状態が継続していると見なすようにしてもよい。また、加速度センサ読み取り部１０６は、静止状態を検出する場合に、加速度の絶対値が1Gであるかどうかを判定してもよい。ただし一般的な使い方では、1G以外の値が一定時間継続する状況は多くないので、必ずしも絶対値を用いて判定しなくても、静止状態の検出は可能である。
【００４２】
上述した実施例において、端末装置１００がリアルタイムクロック１１２を有さない場合には、以下の処理が行われるようにしてもよい。
【００４３】
上述したステップＳ３０４においては、端末装置１００が保持されていない状態の時間を記憶する変数Ｔが零に設定される。この場合、Ｔは、端末装置１００がユーザにより保持されていないと推定できる時間、すなわち端末装置１００が床や机の上などに置かれていると推定できる時間を示す。
【００４４】
また、上述したステップＳ３１０において、加速度センサ値A1と加速度センサ値A0とが異ならない場合（ステップS３１０：ＮＯ）、変数Ｔに所定の時間が加算された時間を新たに変数Ｔとして、ステップＳ３０６に戻る。
【００４５】
本実施例によれば、端末装置に接触されたことを検知する手段を有するようにすることにより、ユーザは就寝中に、暗闇でも比較的簡単に行える、「携帯電話端末に触る」だけで、欲しい情報、例えば現在時刻を入手できる。
【００４６】
また、本実施例によれば、端末装置に触ることを検知する手段として、歩数計として携帯電話端末に搭載が進む加速度センサを利用することができる。加速度センサを利用することにより、端末装置に新たな部品を追加せずに実現できる。このため、端末装置のコストの増加やサイズの増大を抑えることができる。
【００４７】
また、本実施例によれば、一定時間の保持を検知しなかった場合に音声出力を行うようにすることにより、必要以上に音声出力が行われることを避けることができる。例えば、ユーザは就寝中であれば、数時間は端末装置が静止状態に置かれる。そのため、端末装置に触ることを検知する手段による検知が、所定の時間、例えば１時間以上保持が無かったことを条件に、処理を行うかを判断するようにしてもよい。
【００４８】
端末装置が静止状態でない場合には、ユーザはその間、当該端末装置を保持し、操作をしており、当該端末装置から情報を得ることができる状態にあると想定できる。一方、端末装置が一定時間の静止状態にあるということは、その間、端末装置から情報を得ていない可能性が高い。そのため、一定時間の静止状態の後に端末装置が保持された場合には、ユーザは、当該端末装置から得たい情報は多くなると想定される。本実施例によれば、一定時間の静止状態を判断し、その後の保持により、必要な情報を提供する。このようにすることにより、ユーザに対し、効果的な情報提供を行うことができる。
【００４９】
また、本実施例によれば、情報を音声で出力することにより、暗闇に慣れた目に、眩しさを感じることなく、欲しい情報を入手できる。
（第２の実施例）
本実施例に係る端末装置１００について、図４を参照して説明する。
【００５０】
本実施例に係る端末装置１００は、上述した実施例において、現在時刻が、予め決定される音声出力を行ってもよい時間に該当する場合に音声出力を行う。また、本実施例に係る端末装置１００は、上述した実施例において、当該端末装置１００が、音声出力を行ってもよい動作モードである場合に音声出力を行う。
【００５１】
本実施例に係る端末装置１００は、図１を参照して説明した端末装置に音声出力時刻判定部１２０を有する。音声出力時刻判定部１２０は、非保持時間判定部１１６により入力された音声出力を行うことを示す命令に基づいて、該命令に含まれる現在時刻を示す情報が所定の時間範囲に含まれるかを判断する。音声出力時刻判定部１２０は、該命令に含まれる現在時刻を示す情報が所定の時間範囲に含まれる場合には、該命令を後述する音声出力モード判定部１２２に入力する。ここで、所定の時間範囲には、所定の処理、ここでは、現在時刻の音声による出力処理が行われてもよい時間であることが好ましい。
【００５２】
本実施例に係る端末装置１００は、図１を参照して説明した端末装置に音声出力モード判定部１２２を有する。音声出力モード判定部１２２は、当該端末装置１００の動作モードが音声出力を行うことができるモードであるかを判定する。例えば、音声出力モード判定部１２２は、当該端末装置１００が、マナーモードに設定されていないことを判断する。マナーモードでは、例えば、着信などの場合に音を鳴らさずにバイブレータで振動を発するように動作するように設定され、音声出力はできないためである。音声出力モード判定部１２２は、当該端末装置１００の動作モードが音声出力を行うことができるモードであると判断した場合、該命令を音声出力部１１８に入力する。
【００５３】
本実施例に係る端末装置１００の動作について、図５を参照して説明する。
【００５４】
本実施例では、一例として音声出力を行ってもよい時間範囲として、０時から６時が設定されている場合について説明する。
【００５５】
本実施例に係る端末装置１００のステップＳ５０２−ステップＳ５１２の動作は、図３を参照して説明したステップＳ３０２−ステップＳ３１２と同様である。
【００５６】
ステップＳ５１２において、端末装置１００は、リアルタイムクロックの値が所定の時間を超える値となったかを判断する。例えば、加速度センサ値判定部１１０は、加速度センサ値A1と加速度センサ値A0とが異なるか否かの判定結果を、非保持時間判定部１１６に入力する。非保持時間判定部１１６は、加速度センサ値判定部１１０により入力された判定結果に基づいて、該判定結果が加速度センサ値A1と加速度センサ値A0とが異なることを示す場合、リアルタイムクロック１１２により入力されたクロック値に基づいて、非保持開始時刻設定部１１４により入力された非保持開始時刻から所定の時間を超えるかを判断する。非保持開始時刻から所定の時間を超えない場合（ステップＳ５１２：ＮＯ）、ステップＳ５０２に戻る。非保持開始時刻から所定の時間を超える場合（ステップＳ５１２：ＹＥＳ）、端末装置１００は、現在の時刻が０時から６時の間であるかを判断する（ステップＳ５１４）。例えば、非保持時間判定部１１６は、非保持開始時刻から所定の時間を超えている場合、音声出力時刻判定部１２０に音声出力を行うように命令する。この命令には、リアルタイムクロック１１２により入力された現在時刻を示す情報が含まれてもよい。音声出力時刻判定部１２０は、該命令に含まれる現在時刻を示す情報に基づいて、該現在時刻が０時から６時の時刻範囲に含まれるかを判定する。この時刻範囲は任意に設定可能である。
【００５７】
現在時刻が０時から６時の時刻範囲に含まれない場合（ステップＳ５１４：ＮＯ）、ステップＳ５０２に戻る。一方、現在時刻が０時から６時の時刻範囲に含まれる場合（ステップＳ５１４：ＹＥＳ）、端末装置１００は、当該端末装置１００がマナーモードに設定されているかを判断する（ステップＳ５１６）。例えば、音声出力時刻判定部１２０は、現在時刻が０時から６時の時刻範囲に含まれる場合、非保持時間判定部１１６により入力された命令を音声出力モード判定部１２２に入力する。音声出力モード判定部１２２は、入力された命令に基づいて、当該端末装置１００の動作モードが音声出力を行うことができないモードであるかを判定する。例えば、音声出力モード判定部１２２は、当該端末装置１００が、マナーモードに設定されているかを判断する。
【００５８】
当該端末装置１００の動作モードが音声出力を行うことができないモードであると判定した場合（ステップＳ５１６：ＹＥＳ）、ステップＳ５０２に戻る。一方、当該端末装置１００の動作モードが音声出力を行うことができないモードでないと判定した場合（ステップＳ５１６：ＮＯ）、端末装置１００は、スピーカから現在時刻の音声出力を行う。例えば、音声出力モード判定部１２２は、音声出力時刻判定部１２０により入力された命令を音声出力部１１８に入力する。この命令には、現在時刻を示す情報が含まれてもよい。音声出力部１１８は、音声出力モード判定部１２２により入力された命令に応じて、現在時刻の音声による出力を行う。
【００５９】
本実施例によれば、端末装置に触ることを検知する手段を有することにより、ユーザは就寝中に、暗闇でも比較的簡単に行える、「携帯電話端末に触る」だけで、欲しい情報、例えば現在時刻を入手できる。
【００６０】
また、本実施例によれば、端末装置に触ることを検知する手段として、歩数計として携帯電話端末に搭載が進む加速度センサを利用することができる。加速度センサを利用することにより、端末装置に新たな部品を追加せずに実現できる。このため、端末装置のコストの増加やサイズの増大を抑えることができる。
【００６１】
また、本実施例によれば、一定時間の保持を検知しなかった場合に音声出力を行うようにすることにより、必要以上に音声出力が行われることを避けることができる。例えば、ユーザは就寝中であれば、数時間は端末装置が静止状態に置かれる。そのため、端末装置に触ることを検知する手段による検知が、所定の時間、例えば１時間以上保持が無かったことを条件に、処理を行うかを判断するようにしてもよい。
【００６２】
端末装置が静止状態でない場合には、ユーザはその間、当該端末装置を保持し、操作をしており、当該端末装置から情報を得ることができる状態にあると想定できる。一方、端末装置が一定時間の静止状態にあるということは、その間、端末装置から情報を得ていない可能性が高い。そのため、一定時間の静止状態の後に端末装置が保持された場合には、ユーザは、当該端末装置から得たい情報は多くなると想定される。本実施例によれば、一定時間の静止状態を判断し、その後の保持により、必要な情報を提供する。このようにすることにより、ユーザに対し、効果的な情報提供を行うことができる。
【００６３】
また、本実施例によれば、情報を音声で出力することにより、暗闇に慣れた目に、眩しさを感じることなく、欲しい情報を入手できる。
【００６４】
また、本実施例によれば、音声出力を行うことができる時間範囲に該当する場合に音声出力を行うことができる。該時間範囲は予め設定されてもよい。
【００６５】
また、本実施例によれば、音声出力を行うことができる動作モードである場合に音声出力を行うことができる。
（第３の実施例）
本実施例に係る端末装置１００について、図６を参照して説明する。
【００６６】
本実施例に係る端末装置１００は、ユーザに保持されたことを検知した場合、メールが受信されているかを判断する。そして、端末装置１００は、メールが受信されていると判断した場合、メールが受信されていることを音声出力する。
【００６７】
本実施例に係る端末装置１００では、非保持時間判定部１１６は、非保持開始時刻設定部１１４により入力された保持されていない時刻の開始時刻と、加速度センサ値判定部１１０により入力された保持されていることを示す情報と、リアルタイムクロック１１２により入力されたクロック値に基づいて、保持されていない時間の経過時間を求める。そして、非保持時間判定部１１６は、該保持されていない時間の経過時間に基づいて、該経過時間が所定の時間以上である場合には、後述するメール受信状況確認部１２４にメールが受信されているかを出力するように命令する。
【００６８】
本実施例に係る端末装置１００は、図１を参照して説明した端末装置１００にメール受信状況確認部１２４を有する。メール受信状況確認部１２４は、非保持時間判定部１１６により入力された命令に基づいて、メールが受信されているかを確認する。メール受信状況確認部１２４は、当該端末装置１００にメールが受信されているかを示す情報をメール受信状況判定部１２６に入力する。該メールが受信されているかを示す情報には、非保持時間判定部１１６により入力された命令が含まれてもよい。
【００６９】
本実施例に係る端末装置１００は、図１を参照して説明した端末装置１００にメール受信状況判定部１２６を有する。メール受信状況判定部１２６は、メール受信状況確認部１２４により入力されたメールが受信されているかを示す情報に基づいて、当該端末装置１００にメールが受信されているかを判断する。メール受信状況判定部１２６は、当該端末装置１００にメールが受信されている場合、メール受信状況確認部１２４により入力された命令を音声出力部１１８に入力する。
【００７０】
本実施例に係る端末装置１００の動作について、図７を参照して説明する。
【００７１】
本実施例に係る端末装置１００のステップＳ７０２−ステップＳ７１２の動作は、図３を参照して説明したステップＳ３０２−ステップＳ３１２と同様である。
【００７２】
ステップＳ７１２において、端末装置１００は、リアルタイムクロックの値が所定の時間を超える値となったかを判断する。例えば、加速度センサ値判定部１１０は、加速度センサ値A1と加速度センサ値A0とが異なるか否かの判定結果を、非保持時間判定部１１６に入力する。非保持時間判定部１１６は、加速度センサ値判定部１１０により入力された判定結果に基づいて、該判定結果が加速度センサ値A1と加速度センサ値A0とが異なることを示す場合、リアルタイムクロック１１２により入力されたクロック値に基づいて、非保持開始時刻設定部１１４により入力された非保持開始時刻から所定の時間を超えるかを判断する。非保持開始時刻から所定の時間を超えない場合（ステップＳ７１２：ＮＯ）、ステップＳ７０２に戻る。非保持開始時刻から所定の時間を超える場合（ステップＳ７１２：ＹＥＳ）、端末装置１００は、メールの受信状況を確認する（ステップＳ７１４）。例えば、非保持開始時刻から所定の時間を超える場合、非保持時間判定部１１６は、メール受信状況確認部１２４にメールが受信されているかを出力するように命令する。メール受信状況確認部１２４は、非保持時間判定部１１６により入力された命令に従って、メールが受信されているかを確認する。メール受信状況確認部１２４は、メールが受信されているかの確認結果をメール受信状況判定部１２６に入力する。該確認結果には、非保持時間判定部１１６により入力された命令が含まれてもよい。
【００７３】
端末装置１００は、メールが受信されているかを判定する（ステップＳ７１６）。メールが受信されていない場合（ステップＳ７１６：ＮＯ）、ステップＳ７０２に戻る。一方、メールが受信されている場合（ステップＳ７１６：ＹＥＳ）、端末装置１００は、スピーカから受信メールがあることを音声出力する。例えば、メール受信状況判定部１２６は、メール受信状況確認部１２４により入力されたメールが受信されているかの確認結果に基づいて、当該端末装置１００にメールが受信されているかを判断する。メール受信状況判定部１２６は、メールが受信されていると判定した場合、メール受信状況確認部１２４により入力された命令を音声出力部１１８に入力する。この命令には、メールが受信されているかを出力する命令が含まれてもよい。音声出力部１１８は、メール受信状況判定部１２６により入力された命令に応じて、受信メールがあることを音声出力する。
【００７４】
本実施例によれば、端末装置に触ることを検知する手段を有することにより、ユーザは就寝中に、暗闇でも比較的簡単に行える、「携帯電話端末に触る」だけで、欲しい情報、例えば電子メールの受信状況を入手できる。
【００７５】
また、本実施例によれば、端末装置に触ることを検知する手段として、歩数計として携帯電話端末に搭載が進む加速度センサを利用することができる。加速度センサを利用することにより、端末装置に新たな部品を追加せずに実現できる。このため、端末装置のコストやサイズを抑えることができる。
【００７６】
また、本実施例によれば、一定時間の保持を検知しなかった場合に音声出力を行うようにすることにより、必要以上に音声出力が行われることを避けることができる。例えば、ユーザは就寝中であれば、数時間は端末装置が静止状態に置かれる。そのため、端末装置に触ることを検知する手段による検知が、所定の時間、例えば１時間以上保持が無かったことを条件に、処理を行うかを判断するようにしてもよい。
【００７７】
端末装置が静止状態でない場合には、ユーザはその間、当該端末装置を保持し、操作をしており、当該端末装置から情報を得ることができる状態にあると想定できる。一方、端末装置が一定時間の静止状態にあるということは、その間、端末装置から情報を得ていない可能性が高い。そのため、一定時間の静止状態の後に端末装置が保持された場合には、ユーザは、当該端末装置から得たい情報は多くなると想定される。本実施例によれば、一定時間の静止状態を判断し、その後の保持により、必要な情報を提供する。このようにすることにより、ユーザに対し、効果的な情報提供を行うことができる。
【００７８】
また、本実施例によれば、情報を音声で出力することにより、暗闇に慣れた目に、眩しさを感じることなく、欲しい情報を入手できる。
（第４の実施例）
本実施例に係る端末装置１００について、図８を参照して説明する。
【００７９】
本実施例に係る端末装置１００は、ユーザにより保持されていない状況となって一定期間が経過した場合、天気予報を音声出力する。
【００８０】
本実施例に係る端末装置１００では、非保持時間判定部１１６は、非保持開始時刻設定部１１４により入力された保持されていない時刻の開始時刻と、加速度センサ値判定部１１０により入力された保持されていることを示す情報と、リアルタイムクロック１１２により入力されたクロック値に基づいて、保持されていない時間の経過時間を求める。そして、非保持時間判定部１１６は、該保持されていない時間の経過時間に基づいて、該経過時間が所定の時間以上である場合には、音声出力部１１８に天気予報を音声出力するように命令する。
【００８１】
本実施例に係る端末装置１００は、図１を参照して説明した端末装置１００に天気予報情報獲得・蓄積部１２８を有する。天気予報情報獲得・蓄積部１２８は、天気予報情報を取得し、蓄積する。例えば、天気予報情報獲得・蓄積部１２８は、一定時間毎に天気予報情報を取得するようにしてもよい。ここで、一定時間は、天気予報情報が更新される時間以上の時間であるのが好ましい。また、天気予報情報獲得・蓄積部１２８は、天気予報情報をネットワークから取得するようにしてもよいし、データ放送経由で取得するようにしてもよい。天気予報情報獲得・蓄積部１２８は、蓄積した天気予報情報を音声出力部１１８に入力する。例えば、天気予報情報獲得・蓄積部１２８は、蓄積した天気予報情報のうち、最新の天気予報情報を音声出力部１１８に入力するのが好ましい。
【００８２】
音声出力部１１８は、非保持時間判定部１１６により入力された天気予報を音声出力する命令に従って、天気予報情報獲得・蓄積部１２８により入力された天気予報情報の音声出力を行う。
【００８３】
本実施例に係る端末装置１００の動作について、図９を参照して説明する。
【００８４】
端末装置１００は、一定時間毎にネットワークあるいはデータ放送経由で、天気予報情報を獲得し、蓄積する（ステップＳ９０２）。例えば、天気予報情報獲得・蓄積部１２８は、一定時間毎にネットワークあるいはデータ放送経由で天気予報情報を獲得し、蓄積する。
【００８５】
本実施例に係る端末装置１００のステップＳ９０４−ステップＳ９１４の動作は、図３を参照して説明したステップＳ３０２−ステップＳ３１２と同様である。
【００８６】
ステップＳ９１４において、端末装置１００は、リアルタイムクロックの値が所定の時間を超える値となったかを判断する。例えば、加速度センサ値判定部１１０は、加速度センサ値A1と加速度センサ値A0とが異なるか否かの判定結果を、非保持時間判定部１１６に入力する。非保持時間判定部１１６は、加速度センサ値判定部１１０により入力された判定結果に基づいて、該判定結果が加速度センサ値A1と加速度センサ値A0とが異なることを示す場合、リアルタイムクロック１１２により入力されたクロック値に基づいて、非保持開始時刻設定部１１４により入力された非保持開始時刻から所定の時間を超えるかを判断する。非保持開始時刻から所定の時間を超えない場合（ステップＳ９１４：ＮＯ）、ステップＳ９０４に戻る。非保持開始時刻から所定の時間を超える場合（ステップＳ９１４：ＹＥＳ）、端末装置１００は、スピーカから天気情報を音声出力する（ステップＳ９１６）。例えば、非保持時間判定部１１６は、非保持開始時刻から所定の時間を超えると判定した場合、音声出力部１１８に天気予報を音声出力するように命令する。音声出力部１１８は、非保持時間判定部１１６により入力された天気予報を音声出力する命令に従って、天気予報情報獲得・蓄積部１２８により入力された天気予報情報を音声出力する。その後、ステップＳ９０４に戻る。
【００８７】
本実施例によれば、端末装置に触ることを検知する手段を有することにより、ユーザは就寝中に、暗闇でも比較的簡単に行える、「携帯電話端末に触る」だけで、欲しい情報、例えば天気予報情報を入手できる。
【００８８】
また、本実施例によれば、端末装置に触ることを検知する手段として、歩数計として携帯電話端末に搭載が進む加速度センサを利用することができる。加速度センサを利用することにより、端末装置に新たな部品を追加せずに実現できる。このため、端末装置のコストの増加やサイズの増大を抑えることができる。
【００８９】
また、本実施例によれば、一定時間の保持を検知しなかった場合に音声出力を行うようにすることにより、必要以上に音声出力が行われることを避けることができる。例えば、ユーザは就寝中であれば、数時間は端末装置が静止状態に置かれる。そのため、端末装置に触ることを検知する手段による検知が、所定の時間、例えば１時間以上保持が無かったことを条件に、処理を行うかを判断するようにしてもよい。
【００９０】
端末装置が静止状態でない場合には、ユーザはその間、当該端末装置を保持し、操作をしており、当該端末装置から情報を得ることができる状態にあると想定できる。一方、端末装置が一定時間の静止状態にあるということは、その間、端末装置から情報を得ていない可能性が高い。そのため、一定時間の静止状態の後に端末装置が保持された場合には、ユーザは、当該端末装置から得たい情報は多くなると想定される。本実施例によれば、一定時間の静止状態を判断し、その後の保持により、必要な情報を提供する。このようにすることにより、ユーザに対し、効果的な情報提供を行うことができる。
【００９１】
また、本実施例によれば、情報を音声で出力することにより、暗闇に慣れた目に、眩しさを感じることなく、欲しい情報を入手できる。
（第５の実施例）
本実施例に係る端末装置１００について、図１０を参照して説明する。
【００９２】
本実施例に係る端末装置１００は、ユーザにより保持されていない状況となって一定期間が経過した場合、現在時刻をサブディスプレイに表示する。
【００９３】
本実施例に係る端末装置１００では、非保持時間判定部１１６は、非保持開始時刻設定部１１４により入力された保持されていない時刻の開始時刻と、加速度センサ値判定部１１０により入力された保持されていることを示す情報と、リアルタイムクロック１１２により入力されたクロック値に基づいて、保持されていない時間の経過時間を求める。そして、非保持時間判定部１１６は、該保持されていない時間の経過時間に基づいて、該経過時間が所定の時間以上である場合には、サブディスプレイ出力部１３０に現在時刻を表示するように命令する。
【００９４】
本実施例に係る端末装置１００は、図１を参照して説明した端末装置１００と音声出力部１１８の代わりにサブディスプレイ出力部１３０を有する。サブディスプレイ出力部１３０は、サブディスプレイから現在時刻を出力する。上述した実施例では、音声出力される場合について説明した。この場合、端末装置１００の近傍にいる第三者に対して、該音声により迷惑を及ぼす虞がある。サブディスプレイに表示することにより、このような迷惑を及ぼす虞が無い。また、サブディスプレイに表示することにより、メインディスプレイに表示する場合よりも、ユーザに眩しさを感じさせることが無い。サブディスプレイは、メインのディスプレイよりも小型であり、照度も小さいためである。例えば、就寝中に、時刻を確認するのに好適である。
【００９５】
本実施例に係る端末装置１００の動作について、図１１を参照して説明する。
【００９６】
本実施例に係る端末装置１００のステップＳ１１０２−ステップＳ１１１２の動作は、図３を参照して説明したステップＳ３０２−ステップＳ３１２と同様である。
【００９７】
ステップＳ１１１２において、端末装置１００は、リアルタイムクロックの値が所定の時間を超える値となったかを判断する。例えば、加速度センサ値判定部１１０は、加速度センサ値A1と加速度センサ値A0とが異なるか否かの判定結果を、非保持時間判定部１１６に入力する。非保持時間判定部１１６は、加速度センサ値判定部１１０により入力された判定結果に基づいて、該判定結果が加速度センサ値A1と加速度センサ値A0とが異なることを示す場合、リアルタイムクロック１１２により入力されたクロック値に基づいて、非保持開始時刻設定部１１４により入力された非保持開始時刻から所定の時間を超えるかを判断する。非保持開始時刻から所定の時間を超えない場合（ステップＳ１１１２：ＮＯ）、ステップＳ１１０２に戻る。非保持開始時刻から所定の時間を超える場合（ステップＳ１１１２：ＹＥＳ）、端末装置１００は、サブディスプレイから現在時刻を画像出力する（ステップＳ１１１４）。例えば、非保持時間判定部１１６は、非保持開始時刻から所定の時間を超えると判定した場合、サブディスプレイ出力部１３０に現在時刻を出力するように命令する。サブディスプレイ出力部１３０は、非保持時間判定部１１６により入力された現在時刻を出力する命令に従って、サブディスプレイに現在時刻を表示する。その後、ステップＳ１１０２に戻る。
【００９８】
本実施例によれば、端末装置に触ることを検知する手段を有することにより、ユーザは就寝中に、暗闇でも比較的簡単に行える、「携帯電話端末に触る」だけで、欲しい情報、例えば現在時刻を入手できる。
【００９９】
また、本実施例によれば、端末装置に触ることを検知する手段として、歩数計として携帯電話端末に搭載が進む加速度センサを利用することができる。加速度センサを利用することにより、端末装置に新たな部品を追加せずに実現できる。このため、端末装置のコストの増加やサイズの増大を抑えることができる。
【０１００】
また、本実施例によれば、一定時間の保持を検知しなかった場合に画像出力を行うようにすることにより、必要以上に表示が行われることを避けることができる。例えば、ユーザは就寝中であれば、数時間は端末装置が静止状態に置かれる。そのため、端末装置に触ることを検知する手段による検知が、所定の時間、例えば１時間以上保持が無かったことを条件に、処理を行うかを判断するようにしてもよい。
【０１０１】
端末装置が静止状態でない場合には、ユーザはその間、当該端末装置を保持し、操作をしており、当該端末装置から情報を得ることができる状態にあると想定できる。一方、端末装置が一定時間の静止状態にあるということは、その間、端末装置から情報を得ていない可能性が高い。そのため、一定時間の静止状態の後に端末装置が保持された場合には、ユーザは、当該端末装置から得たい情報は多くなると想定される。本実施例によれば、一定時間の静止状態を判断し、その後の保持により、必要な情報を提供する。このようにすることにより、ユーザに対し、効果的な情報提供を行うことができる。
【０１０２】
また、本実施例によれば、情報を画像出力することにより、端末装置の近傍にいる第三者に対して、該音声により迷惑を及ぼす虞が無い。また、サブディスプレイに表示することにより、メインディスプレイに表示する場合よりも、ユーザに眩しさを感じさせることが無い。
（第６の実施例）
本実施例に係る端末装置１００について、図１２を参照して説明する。
【０１０３】
端末装置１００によっては、現在時刻がサブディスプレイに表示され、省電力のためバックライトが消されている場合がある。本実施例に係る端末装置１００は、このように現在時刻がサブディスプレイに表示され、省電力のためバックライトが消されている端末装置１００において、サブディスプレイのバックライトを点灯する。このようにすることにより、サブディスプレイに表示された現在時刻を見やすくすることができる。
【０１０４】
本実施例に係る端末装置１００では、非保持時間判定部１１６は、非保持開始時刻設定部１１４により入力された保持されていない時刻の開始時刻と、加速度センサ値判定部１１０により入力された保持されていることを示す情報と、リアルタイムクロック１１２により入力されたクロック値に基づいて、保持されていない時間の経過時間を求める。そして、非保持時間判定部１１６は、該保持されていない時間の経過時間に基づいて、該経過時間が所定の時間以上である場合には、後述するサブディスプレイ照明点灯部１３２にサブディスプレイのバックライトを点灯するように命令する。
【０１０５】
本実施例に係る端末装置１００は、図１を参照して説明した端末装置１００と音声出力部１１８の代わりにサブディスプレイ照明点灯部１３２を有する。サブディスプレイ照明点灯部１３２は、サブディスプレイのバックライトを点灯する。
【０１０６】
本実施例に係る端末装置１００の動作について、図１３を参照して説明する。
【０１０７】
本実施例に係る端末装置１００のステップＳ１３０２−ステップＳ１３１２の動作は、図３を参照して説明したステップＳ３０２−ステップＳ３１２と同様である。
【０１０８】
ステップＳ１３１２において、端末装置１００は、リアルタイムクロックの値が所定の時間を超える値となったかを判断する。例えば、加速度センサ値判定部１１０は、加速度センサ値A1と加速度センサ値A0とが異なるか否かの判定結果を、非保持時間判定部１１６に入力する。非保持時間判定部１１６は、加速度センサ値判定部１１０により入力された判定結果に基づいて、該判定結果が加速度センサ値A1と加速度センサ値A0とが異なることを示す場合、リアルタイムクロック１１２により入力されたクロック値に基づいて、非保持開始時刻設定部１１４により入力された非保持開始時刻から所定の時間を超えるかを判断する。非保持開始時刻から所定の時間を超えない場合（ステップＳ１３１２：ＮＯ）、ステップＳ１３０２に戻る。非保持開始時刻から所定の時間を超える場合（ステップＳ１３１２：ＹＥＳ）、端末装置１００は、サブディスプレイのバックライトをオンにする（ステップＳ１３１４）。例えば、非保持時間判定部１１６は、非保持開始時刻から所定の時間を超えると判定した場合、サブディスプレイ照明点灯部１３２にサブディスプレイのバックライトを点灯するように命令する。サブディスプレイ照明点灯部１３２は、非保持時間判定部１１６により入力されたサブディスプレイのバックライトを点灯する命令に従って、サブディスプレイのバックライトを点灯する。その後、ステップＳ１３０２に戻る。
【０１０９】
本実施例によれば、端末装置に触ることを検知する手段を有することにより、ユーザは就寝中に、暗闇でも比較的簡単に行える、「携帯電話端末に触る」だけで、欲しい情報、例えば現在時刻を入手できる。
【０１１０】
また、本実施例によれば、端末装置に触ることを検知する手段として、歩数計として携帯電話端末に搭載が進む加速度センサを利用することができる。加速度センサを利用することにより、端末装置に新たな部品を追加せずに実現できる。このため、端末装置のコストの増加やサイズの増大を抑えることができる。
【０１１１】
また、本実施例によれば、一定時間の保持を検知しなかった場合にサブディスプレイの照明の点灯を行うようにすることにより、必要以上に照明の点灯が行われることを避けることができる。例えば、ユーザは就寝中であれば、数時間は端末装置が静止状態に置かれる。そのため、端末装置に触ることを検知する手段による検知が、所定の時間、例えば１時間以上保持が無かったことを条件に、処理を行うかを判断するようにしてもよい。
【０１１２】
端末装置が静止状態でない場合には、ユーザはその間、当該端末装置を保持し、操作をしており、当該端末装置から情報を得ることができる状態にあると想定できる。一方、端末装置が一定時間の静止状態にあるということは、その間、端末装置から情報を得ていない可能性が高い。そのため、一定時間の静止状態の後に端末装置が保持された場合には、ユーザは、当該端末装置から得たい情報は多くなると想定される。本実施例によれば、一定時間の静止状態を判断し、その後の保持により、必要な情報を提供する。このようにすることにより、ユーザに対し、効果的な情報提供を行うことができる。
【０１１３】
また、本実施例によれば、現在時刻がサブディスプレイに表示され、省電力のためバックライトが消されている端末装置１００において、サブディスプレイのバックライトを点灯する。このようにすることにより、サブディスプレイに表示された現在時刻を見やすくすることができる。
【０１１４】
説明の便宜上、本発明を幾つかの実施例に分けて説明したが、各実施例の区分けは本発明に本質的ではなく、２以上の実施例が必要に応じて使用されてよい。発明の理解を促すため具体的な数値例を用いて説明したが、特に断りのない限り、それらの数値は単なる一例に過ぎず適切な如何なる値が使用されてよい。
【０１１５】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
（付記１）
保持されたことを検知する手段と、
前記検知する手段により当該端末装置が保持されたことが検知されたか否かに基づいて決定される条件を満たすことを判断する手段と、
前記判断する手段により前記条件を満たすと判断された場合に、所定の出力処理を行う手段と
を有する端末装置。
（付記２）
付記１に記載の端末装置において、
前記検知する手段は、加速度センサ、角速度センサ、力センサ及び静電センサのうち、少なくとも１つを含む端末装置。
（付記３）
付記２に記載の端末装置において、
前記判断する手段は、前記検知する手段により検知された値が前回の値と異なるか否かに基づいて、当該端末装置が保持されたが否かを判断する端末装置。
（付記４）
付記１ないし３のいずれか１項に記載の端末装置において、
前記判断する手段は、前記検知する手段により当該端末装置が保持されたことが検知された場合に、前回の保持された時間から所定の時間経過した場合に、前記条件を満たすと判断する端末装置。
（付記５）
付記４に記載の端末装置において、
前記判断する手段は、現在時刻が予め設定される時刻の範囲に含まれる場合に、前記条件を満たすと判断する端末装置。
（付記６）
付記５に記載の端末装置において、
前記判断する手段は、当該端末装置が、音声出力が可能である動作モードに設定されている場合に、前記条件を満たすと判断する端末装置。
（付記７）
付記１ないし６のいずれか１項に記載の端末装置において、
前記所定の出力処理を行う手段は、該所定の出力を音声又は表示により行う端末装置。
（付記８）
付記７に記載の端末装置において、
前記所定の出力処理を行う手段は、時刻、天気予報及びメールが受信されていることのうち、少なくとも１つの出力を行う端末装置。
（付記９）
端末装置が、保持されたことを検知するステップと、
前記端末装置が、前記検知するステップにより当該端末装置が保持されたことが検知されたか否かに基づいて決定される条件を満たすことを判断するステップと、
前記端末装置が、前記判断するステップにより前記条件を満たすと判断された場合に、所定の出力処理を行うステップと
を有する方法。
【図面の簡単な説明】
【０１１６】
【図１】一実施例に係る端末装置を示す部分ブロック図である。
【図２】一実施例に係る端末装置を示す部分ブロック図である。
【図３】一実施例に係る端末装置の動作を示すフロー図である。
【図４】一実施例に係る端末装置を示す部分ブロック図である。
【図５】一実施例に係る端末装置の動作を示すフロー図である。
【図６】一実施例に係る端末装置を示す部分ブロック図である。
【図７】一実施例に係る端末装置の動作を示すフロー図である。
【図８】一実施例に係る端末装置を示す部分ブロック図である。
【図９】一実施例に係る端末装置の動作を示すフロー図である。
【図１０】一実施例に係る端末装置を示す部分ブロック図である。
【図１１】一実施例に係る端末装置の動作を示すフロー図である。
【図１２】一実施例に係る端末装置を示す部分ブロック図である。
【図１３】一実施例に係る端末装置の動作を示すフロー図である。
【符号の説明】
【０１１７】
１００  端末装置
１０２  加速度センサ
１０４  タイマ
１０６  加速度センサ読み取り部
１０８  加速度センサ値保持部
１１０  加速度センサ値判定部
１１２  リアルタイムクロック
１１４  非保持開始時刻設定部
１１６  非保持時間判定部
１１８  音声出力部
１２０  音声出力時刻判定部
１２２  音声出力モード判定部
１２４  メール受信状況確認部
１２６  メール受信状況判定部
１２８  天気予報情報獲得・蓄積部
１３０  サブディスプレイ出力部
１３２  サブディスプレイ照明点灯部
１５２  中央演算処理装置(CPU:  Central  Processing  Unit)
１５４  ROM(Read  Only  Memory)
１５６  RAM(Random  Access  Memory)
１５８  アンプ
１６０  スピーカ
【図１】
2010004296.tif 000003
【図２】
2010004296.tif 000004
【図３】
2010004296.tif 000005
【図４】
2010004296.tif 000006
【図５】
2010004296.tif 000007
【図６】
2010004296.tif 000008
【図７】
2010004296.tif 000009
【図８】
2010004296.tif 000010
【図９】
2010004296.tif 000011
【図１０】
2010004296.tif 000012
【図１１】
2010004296.tif 000013
【図１２】
2010004296.tif 000014
【図１３】
2010004296.tif 000015